(57)【要約】【課題】カバー部材が傾かないエキスパンションジョイントカバーを提供する。【解決手段】エキスパンションジョイント１を覆うカバー部材３を保持部材４で保持する。保持部材４を丁番５に取り付け、丁番５を支持フレーム１７を介して構造物２ａに取り付ける。保持部材４が一方の構造物２ａに対して片持ち支持される。コイルばね６で保持部材４を構造物２ｂに押圧する。いずれかの構造物２ａ、２ｂがｘ方向、ｙ方向に変位するとき、カバー部材３及び保持部材４が構造物２ｂに対してスライドして変位に追従する。いずれかの構造物２ａ、２ｂがｚ方向に変位するとき、カバー部材３及び保持部材４が回動して変位に追従する。【選択図】  図１
2004162304.tif 000002
【特許請求の範囲】
【請求項１】
エキスパンションジョイントを覆うカバー部材が設けられ、該カバー部材は、エキスパンションジョイントを挟んで対向する一方の構造物に支持され、前記カバー部材を他方の構造物に押圧する付勢体が設けられたことを特徴とするエキスパンションジョイントカバー。
【請求項２】
エキスパンションジョイントを覆うカバー部材と、該カバー部材を係合して保持する保持部材とを備え、前記保持部材は、エキスパンションジョイントを挟んで対向する一方の構造物に回動自在に支持され、前記保持部材を他方の構造物に押圧する付勢体が設けられたことを特徴とするエキスパンションジョイントカバー。
【請求項３】
エキスパンションジョイントを覆うカバー部材と、該カバー部材を支持する支持部材とを備え、前記支持部材は、エキスパンションジョイントを挟んで対向する少なくとも一方の構造物に取り付けられ、前記支持部材に、カバー部材を変位可能に保持しながら構造物に向かって押圧する弾性体が設けられたことを特徴とするエキスパンションジョイントカバー。
【請求項４】
エキスパンションジョイントを覆うカバー部材と、該カバー部材を支持する支持部材とを備え、前記支持部材は、エキスパンションジョイントを挟んで対向する一方の構造物に取り付けられ、前記カバー部材に、支持部材に変位可能に係合する弾性体が設けられたことを特徴とするエキスパンションジョイントカバー。
【発明の詳細な説明】
【０００１】
【発明の属する技術分野】
本発明は、建築物などに設けられたエキスパンションジョイントを覆うためのエキスパンションジョイントカバーに関するものである。
【０００２】
【従来の技術】
一般に、複雑な構造の建築物や長大な建築物などでは、エキスパンションジョイントが設けられる。エキスパンションジョイントとは、構造物の間において、気温、地震、不同沈下による膨張、収縮、振動、ひび割れなどの有害な影響を防ぐために設ける接続部である。エキスパンションジョイントにおいて、構造物の間に所望の大きさの隙間が形成され、この隙間が温度変化による伸縮や地震時の振動、基礎の不同沈下などによる両構造物間の変位差を吸収することにより、建築物などにおける特定の部位への力の集中を防止している。
【０００３】
壁や床などに露出するエキスパンションジョイントは、分割された構造物同士の相対的な変位に追従可能なエキスパンションジョイントカバーで覆われ、建築物などの使用時における隙間による支障が回避される。図１３にエキスパンションジョイントカバーの一例を示す（特許文献１）。
【０００４】
このエキスパンションジョイントカバーの構造として、建物１０１ａ、１０１ｂの隙間を遮蔽するカバー１０２を受けプレート１０３に嵌着して、この受けプレート１０３を２本のコイルスプリング１０４により建物１０１ａ、１０１ｂに取り付けられたホルダ１０５に押さえ付けるようになっている。コイルスプリング１０４は、受けプレート１０３をその幅方向に跨ぐようにしてホルダ１０５に取り付けられ、受けプレート１０３を壁面方向へ弾力的に強圧している。
【０００５】
建物１０１ａ、１０１ｂが相対的に変位するとき、エキスパンションジョイントカバーは、受けプレート１０３のコイルスプリング１０４に対するスライドと、コイルスプリング１０４の変形とにより、建物１０１ａ、１０１ｂの変位に追従する。
【０００６】
図１４に示すように、建物１０１ａ、１０１ｂがｙ方向に相対的に変位するとき、左側のコイルスプリング１０４が略Ｓ字状に屈曲変形して、受けプレート１０３が右側のコイルスプリング１０４に対してスライドしながら傾斜する。
【０００７】
【特許文献１】
特開平９−２５０１８６号公報（段落番号００１１〜００１３、段落番号００１５〜００１９、第１図、第５図）
【０００８】
【発明が解決しようとする課題】
ところが、特許文献１のエキスパンションジョイントカバーでは、受けプレートの傾斜に伴って、受けプレートに嵌着されたカバーが傾き、連続して設置されたカバーとカバーとの継目に目違いが生じる。
【０００９】
本発明は、構造物が相対的に変位したとき、カバーが傾かないようにすることができるエキスパンションジョイントカバーを提供することを目的とする。
【００１０】
【課題を解決するための手段】
上記課題に鑑み、本発明は、エキスパンションジョイントを覆うカバー部材をエキスパンションジョイントを挟んで対向する一方の構造物で支持し、カバー部材を他方の構造物に押圧する付勢体を設けたエキスパンションジョイントカバーを提供するものである。
【００１１】
この構成によれば、カバー部材を一方の構造物で片持ち支持し、他方の構造物に対しては押圧によりスライド可能に装着することができる。これにより、構造物がｘ方向、ｙ方向に相対的に変位したとき、カバー部材は他方の構造物からの影響を受けないので傾斜しない。
【００１２】
カバー部材をｚ方向の変位に追従可能な可撓性のものとして、一方の構造物に固定する。これによって、カバー部材が変形することにより、ｚ方向の変位に対処できる。あるいは、カバー部材を係合して保持する保持部材を設ける。この保持部材を一方の構造物で回動自在に支持する。そうすれば、カバー部材及び保持部材をｚ方向の変位に容易に追従させることができる。しかも、付勢体により保持部材を他方の構造物に押圧する力を小さくすることができる。
【００１３】
少なくとも一方の構造物にカバー部材を支持する支持部材を取り付け、この支持部材に、カバー部材を変位可能に保持しながら構造物に向かって押圧する弾性体を設ける。そうすれば、弾性体が変形することにより、ｚ方向の変位に追従しやすくなる。
【００１４】
一方の構造物にカバー部材を支持する支持部材を取り付け、カバー部材に設けた弾性体を支持部材に変位可能に係合する。そうすれば、カバー部材を片持ち支持することができ、構造物がｘ方向、ｙ方向に相対的に変位したとき、カバー部材が傾斜しない。弾性体を変形させてカバー部材を装着することにより、その装着を簡単にすることができる。
【００１５】
【発明の実施の形態】
以下、本発明に係るエキスパンションジョイントカバーの実施の形態について、図面を用いて説明する。このエキスパンションジョイントカバーは、建築物などのエキスパンションジョイント１を覆い隠すためのものであり、エキスパンションジョイント１を挟んで対向する一方の構造物２ａ側に片持ち支持される構造とされ、構造物２ａ、２ｂの相対的な変位に追従するようになっている。
【００１６】
［第一実施形態］  この実施形態のエキスパンションジョイントカバーは、主に外壁と外壁、内壁と内壁、あるいは天井と天井とのエキスパンションジョイント１を覆い隠すために上下方向（ｙ方向）に連続して装着されるものであり、エキスパンションジョイント１のクリアランスが比較的大きいときに用いられる。
【００１７】
図１、図２及び図３に示すように、この実施形態のエキスパンションジョイントカバーは、エキスパンションジョイント１を覆うカバー部材３及び化粧カバー２２と、カバー部材３を保持する保持部材４と、一方の構造物２ａ側に支持されて保持部材４を回動自在に支持する丁番５と、保持部材４を他方の構造物２ｂ側に押圧するコイルばね６（付勢体）とを備えている。そして、コイルばね６は、受けフレーム２５に取り付けられる。丁番５は支持フレーム１７に支持され、化粧カバー２２が支持フレーム１７に取り付けられる。両フレーム１７、２５は構造物２ａ、２ｂに取り付けられる。
【００１８】
カバー部材３は、例えばアルミニウム材を略長方形状に押し出し成形してなり、他側に断面略コ字形の係止部７が形成され、保持部材４に係止される。一側に略Ｌ字形の止着部８が形成され、テクスビス９で保持部材４に止着される。係止部７及び止着部８は後方に突出され、カバー部材３と保持部材４との間にコイルばね６を配置する空間を形成する。
【００１９】
このように、カバー部材３は、保持部材４、丁番５、支持フレーム１７を介して構造物２ａに片持ち支持されることになる。なお、図中の１０はカバー部材３と構造物２ｂとの間をシールするガスケットである。このガスケット１０は、構造物２ａ、２ｂが相対的に変位したときでも、常に構造物２ｂに接触する長さとされる。
【００２０】
保持部材４は、例えばアルミニウム材を略長方形板に押し出し成形してなり、その他側に、断面略Ｌ字形の係合部１１が外側に向かって形成されている。係合部１１はカバー部材３の係止部７に係合してカバー部材３を係止する。保持部材４は、一側が後述する丁番５の他側片１４にねじ止めされ、回動軸１２の周りに回動することにより、構造物２ｂに対してｚ方向に近接離間可能とされ、コイルばね６により、後述する受けフレーム２５に押圧される。
【００２１】
丁番５は、回動軸１２を介して一側片１３と他側片１４とを回動自在に連結してなる。その一側片１３の装着部１５が支持フレーム１７の装着溝２０に沿って挿入され、丁番５は構造物２ａ側に支持される。他側片１４には、テクスビス１６で保持部材４の一側が固定され、この保持部材４が他側片１４と共に回動軸１２の周りに回動可能とされる。
【００２２】
構造物２ａの前面でエキスパンションジョイント１の近傍には、丁番５を支持するための支持フレーム１７が固定されている。支持フレーム１７は、例えばアルミニウム材を断面略コ字形に押し出し成形してなり、その後片１７ａがフィッシャープラグ１８及びタッピンねじ１９により構造物２ａに固定される。
【００２３】
支持フレーム１７の他側面に略コ字形の装着溝２０が形成され、この装着溝２０に丁番５の装着部１５を固定するようになっている。支持フレーム１７の前片１７ｂに、テクスビス２１により化粧カバー２２が固定される。なお、図中の２３はカバー部材３と化粧カバー２２との間をシールするためのシール材、２４は化粧カバー２２と構造物２ａとの間をシールするガスケットである。
【００２４】
構造物２ｂの前面でエキスパンションジョイント１の近傍には、コイルばね６により押圧される保持部材４を受けるための受けフレーム２５が設けられている。受けフレーム２５は、例えばアルミニウム材を断面略Ｔ字形に押し出し成形してなり、その後片２５ａがフィッシャープラグ１８及びタッピンねじ１９により構造物２ｂに固定される。
【００２５】
受けフレーム２５に形成された取付穴にコイルばね６を引っ掛けて、保持部材４を跨ぐようにコイルばね６が取り付けられる。このコイルばね６により、保持部材４が受けフレーム２５に押圧される。保持部材４は、受けフレーム２５に対してｘ方向及びｙ方向にスライド自在となる。なお、図中の２６はエキスパンションジョイント１の内部をシールするための補助シートである。
【００２６】
次に、図４（ａ）〜図４（ｄ）に基づいて、エキスパンションジョイントカバーの装着手順を説明する。まず、支持フレーム１７の装着溝２０に丁番５の装着部１５を挿入して所定位置で固定する。テクスビス１６で丁番５に保持部材４を固定して、支持フレーム１７に保持部材４及び丁番５をセットしておく。次いで、図４（ａ）に示すように、電動ドリルなどを用いて構造物２ａ、２ｂの所定の位置に、支持フレーム１７及び受けフレーム２５用の取付穴をそれぞれ一つずつあけ、この取付穴にフィッシャープラグ１８を圧入する。
【００２７】
図４（ｂ）に示すように、構造物２ｂ側のフィッシャープラグ１８に受けフレーム２５のねじ穴を合わせ、タッピンねじ１９を挿入してフィッシャープラグ１８を押し広げることにより、構造物２ｂに受けフレーム２５を固定する。同様の手順で、構造物２ａに支持フレーム１７を固定し、保持部材４を跨ぐようにして受けフレーム２５にコイルばね６を取り付ける。
【００２８】
図４（ｃ）に示すように、カバー部材３の係止部７を保持部材４の係合部１１に係合させ、止着部８をテクスビス９で保持部材４に止着することにより、保持部材４にカバー部材３を固定する。その後、図４（ｄ）に示すように、テクスビス２１で支持フレーム１７に化粧カバー２２を固定して、エキスパンションジョイントカバーの装着が完了する。
【００２９】
上記構成によれば、構造物２ａ、２ｂがｘ方向に相対的に変位するとき、保持部材４が受けフレーム２５に対してスライドする。したがって、カバー部材３が構造物２ｂに対してｘ方向にスライドする。構造物２ａ、２ｂがｙ方向に相対的に変位するとき、保持部材４が受けフレーム２５に対してコイルばね６の長さの範囲内においてスライドする。したがって、カバー部材３が構造物２ｂに対してｙ方向にスライドする。
【００３０】
また、図３に示すように、構造物２ａ、２ｂがｚ方向に相対的に変位するとき、保持部材４はコイルばね６によって受けフレーム２５に押さえ込まれているので、受けフレーム２５を支点にして回動する。カバー部材３が両構造物２ａ、２ｂの段差に沿って傾く。このとき、カバー部材３と化粧カバー２２は干渉しない。以上のように、エキスパンションジョイントカバーを構造物２ａ、２ｂの変位に追従させることができる。カバー部材３は、ｘ方向において傾かないので、連続して設けられたカバー部材３間に目違いが生じない。
【００３１】
上記では、構造物２ａ、２ｂの外壁が同一平面になっている場合を示している。天井コーナ、内壁コーナ、外壁コーナの場合でも、図５に示すように、上記のエキスパンションジョイントカバーと同じ部品を用いることができる。ただし、丁番５の一側片１３は支持フレーム１７に形成された突片６０にねじ止めされる。
【００３２】
また、構造物２ａ、２ｂの外壁が同一平面の場合、あるいは天井コーナ、内壁コーナ、外壁コーナの場合のいずれの場合でも、カバー部材１７は、保持部材４及び丁番５を用いて支持する代わりに、支持フレーム１７に直接に回動自在に装着してもよい。
【００３３】
［第二実施形態］  この実施形態のエキスパンションジョイントカバーは、主に外壁と外壁、内壁と内壁、あるいは天井と天井とのエキスパンションジョイント１を覆い隠すために上下方向（ｙ方向）に連続して装着されるものであり、エキスパンションジョイント１のクリアランスが比較的小さいときに用いられる。
【００３４】
図６に示すように、この実施形態のエキスパンションジョイントカバーは、第一実施形態のコイルばね６に代えて、丁番５の回動軸１２に、保持部材４を構造物２ｂに押圧するためのねじりコイルばね２７を取り付けている。他の構成は、第一実施形態と同じであり、作用効果も第一実施形態と同じである。
【００３５】
［第三実施形態］  図７及び図８に示すように、この実施形態のエキスパンションジョイントカバーは、主に床と床、あるいは屋根と屋根とのエキスパンションジョイント１を覆い隠すために水平方向（ｙ方向）に連続して装着されるものである。
【００３６】
このエキスパンションジョイントカバーは、エキスパンションジョイント１を覆う一対のカバー部材２８と、構造物２ａ、２ｂに取り付けられてカバー部材２８を支持する支持部材２９と、支持部材２９に設けられてカバー部材２８を変位可能に保持しながら構造物２ａ、２ｂに向かって押圧する板ばね３０（弾性体）とを備えている。そして、両カバー部材２８の間に中央カバー３１が配置されている。カバー部材２８の先端と、中央カバー３１のｘ方向両端付近とがスライド自在に重合される。
【００３７】
カバー部材２８は、例えばアルミニウム材を略長方形状に押し出し成形してなり、その先端が中央カバー３１の上面に載置され、基端が支持部材２９の後述するカバー部材受け部３８に載置される。カバー部材２８の基端付近の下面側に略Ｌ字形の嵌合部３４が形成される。嵌合部３４が板ばね３０に嵌合することにより、カバー部材２８が支持部材２９に対して変位可能に保持される。
【００３８】
中央カバー３１は、例えばアルミニウム材を略長方形状に押し出し成形してなり、エキスパンションジョイント１を跨ぐようにして、二つの支持部材２９の後述する中央カバー受け部３７にスライド自在に載置される。この中央カバー３１は、カバー部材２８により上方から押圧されて浮き上がりが阻止され、ｘ方向両端の傾斜部３３が中央カバー受け部３７に引っ掛かることによりｘ方向のスライド量が制限される。
【００３９】
支持部材２９は、例えばアルミニウム材を上方が開放された断面略コ字形に押し出し成形してなり、フィッシャープラグ３５及びタッピンねじ３６により、構造物２ａ、２ｂに固定される。支持部材２９の先端は、中央カバー３１を載置する中央カバー受け部３７とされ、基端は、その上端を先端側に折曲した形状とされて、カバー部材２８を載置するカバー部材受け部３８とされる。
【００４０】
板ばね３０は、先端側が開放された略コ字形とされ、支持部材２９のカバー部材受け部３８にねじ等により取り付けられる。板ばね３０の上片３９及び下片４０で嵌合部３４を挟みつけることにより、カバー部材２８を抜けないように保持する。
【００４１】
板ばね３０の上片３９は下向きに湾曲して形成され、この湾曲部分がカバー部材２８を下向きに付勢することにより、カバー部材２８の浮き上がり及びスライドが阻止される。板ばね３０の下片４０は上向きに湾曲して形成され、この湾曲部分を嵌合部３４の先端が乗り越えることにより、カバー部材２８の抜け出しが規制される。なお、図中の４１は補助シートである。
【００４２】
次に、図９（ａ）〜図９（ｄ）に基づいて、エキスパンションジョイントカバーの装着手順を説明する。まず、図９（ａ）に示すように、電動ドリルなどを用いて構造物２ａ、２ｂの所定の位置に、支持部材２９用の取付穴をそれぞれ一つずつあけ、この取付穴にフィッシャープラグ３５を圧入する。
【００４３】
次いで、図９（ｂ）に示すように、構造物２ａ、２ｂのフィッシャープラグ３５に支持部材２９のねじ穴を合わせ、タッピンねじ３６を挿入してフィッシャープラグ３５を押し広げることにより、構造物２ａ、２ｂに、板ばね３０が取り付けられた支持部材２９を固定する。図９（ｃ）に示すように、エキスパンションジョイント１を跨いで、中央カバー３１を両側の支持部材２９の中央カバー受け部３７に載置する。
【００４４】
その後、図９（ｄ）に示すように、カバー部材２８の先端部を中央カバー３１に載置して、基端部をカバー部材受け部３８に載置し、嵌合部３４を板ばね３０に嵌め込む。このとき、嵌合部３４の先端が板ばね３０の下片４０の湾曲部分を乗り越える音がして、確実に嵌合されたことを確認できる。これにより、支持部材２９によってカバー部材２８が保持され、エキスパンションジョイントカバーの装着が完了する。
【００４５】
なお、カバー部材２８を床面と面一に設定するために、支持部材の基端側に後打ちコンクリート６１を打設して、その上面に床材６２を配置する。あるいは、構造物２ａ、２ｂに、支持部材２９を配置する空間を形成しておく。
【００４６】
上記構成によれば、中央カバー３１を支持部材２９にスライド自在に載置するため、構造物２ａ、２ｂがｘ方向に相対的に変位するとき、どちらか一方、あるいは両方のカバー部材２８が中央カバー３１に対してｘ方向にスライドする。構造物２ａ、２ｂがｙ方向に相対的に変位するとき、どちらか一方、あるいは両方のカバー部材２８が中央カバー３１に対してスライドする。
【００４７】
カバー部材２８が傾かないので、連続して設けられたカバー部材２８間の目違いが生じない。なお、中央カバー３１も支持部材に対してｘ方向あるいはｙ方向にスライドする。構造物２ａ、２ｂがｚ方向に相対的に変位するとき、カバー部材２８の変形と板ばね３０の変形とを伴って中央カバー３１が傾く。
【００４８】
カバー部材２８を板ばね３０に嵌合させて保持するため、温度変化によりカバー部材２８が伸縮するとき、カバー部材２８を板ばね３０に対して滑らせることができる。これにより、カバー部材２８をビスで固定するときのような温度変化による固定部の破損やビス間の浮き上がりが生じない。
【００４９】
上記では、構造物２ａ、２ｂの床と床とが同一平面になっている場合を示している。床と内壁とのコーナの場合でも、図１０に示すように、上記のエキスパンションジョイントカバーと同じ部品を用いることができる。ただし、一方の構造物２ａに支持部材２９及びカバー部材２８を取り付けて、他方の構造物２ｂに中央カバー３１を載置する受けフレーム４２を取り付ける。
【００５０】
また、上記では、カバー部材２８の先端を中央カバー受け部３７まで延ばしているが、カバー部材２８をさらに長くして、カバー部材２８でエキスパンションジョイント１の中央付近まで覆うようにしてもよい。
【００５１】
［第四実施形態］  図１１に示すように、この実施形態のエキスパンションジョイントカバーは、主に内壁と内壁、天井と天井、内壁コーナ、天井コーナのエキスパンションジョイント１を覆い隠すために装着されるものであり、エキスパンションジョイント１を覆うカバー部材４３と、一方の構造物２ａに取り付けられてカバー部材４３を支持する支持部材４４と、カバー部材４３に設けられて支持部材４４に変位可能に係合するキックばね４５（弾性体）とを備えている。
【００５２】
カバー部材４３は、例えばアルミニウム材を略長方形状に押し出し成形してなり、そのｘ方向中央に、支持部材４４に当接される押圧片４６がｙ方向に連続して形成される。カバー部材４３のｘ方向両端部にはガスケット４７が装着され、構造物２ａ、２ｂとの隙間をシールするようになっている。
【００５３】
支持部材４４は、例えばアルミニウム材から形成された略長方形板とされ、その一側をフィッシャープラグ及びタッピンねじ４９により構造物２ａに固定される。この支持部材４４の他側は、エキスパンションジョイント１まで突出し、他側に切欠５０が形成される。Ｔ字状に切り抜かれた切欠５０にキックばね４５が挿入される。
【００５４】
キックばね４５は、コイル部分から二本のキック片５１が突出されてなり、そのコイル部分がカバー部材４３の押圧片４６に取り付けられている。キック片５１が切欠５０に挿入され、開方向に付勢されることにより、キックばね４５が支持部材４４に係合される。カバー部材４３が支持部材４４に近づくように付勢されるので、カバー部材４３の押圧片４６が支持部材４４に押圧される。なお、キックばね４５は、両キック片５１を狭めない限り、切欠５０から抜け出すことはない。
【００５５】
次に、図１２（ａ）〜図１２（ｃ）に基づいて、エキスパンションジョイントカバーの装着手順を説明する。まず、図１２（ａ）に示すように、電動ドリルなどを用いて構造物２ａの所定の位置に、支持部材４４用の二つの取付穴をあけ、この取付穴にフィッシャープラグ４８を圧入する。次いで、図１２（ｂ）に示すように、構造物２ａのフィッシャープラグ４８に支持部材４４のねじ穴を合わせ、タッピンねじ４９を挿入してフィッシャープラグ４８を押し広げることにより、構造物２ａに支持部材４４を固定する。
【００５６】
その後、図１２（ｃ）に示すように、カバー部材４３に取り付けられたキックばね４５のキック片５１を付勢力に抗して閉じて切欠５０に挿入する。カバー部材４３を構造物２ａ、２ｂに向けて押し込むと、キックばね４５が開いて、カバー部材４３が支持部材４４に係合する。カバー部材４３は支持部材４４に取り付けられ、エキスパンションジョイントカバーの装着が完了する。
【００５７】
上記構成によれば、構造物２ａ、２ｂがｘ方向に相対的に変位するとき、カバー部材４３が構造物２ｂ上をｘ方向にスライドする。構造物２ａ、２ｂがｙ方向に相対的に変位するとき、カバー部材４３が構造物２ｂ上をｙ方向にスライドする。構造物２ａ、２ｂがｚ方向に相対的に変位するとき、カバー部材４３が構造物２ｂに対して近接離間する。カバー部材４３が構造物２ｂに接触したときは、キックばね４５が変形してより大きい変位に追従する。カバー部材４３が傾かないので、連続して設けられるカバー部材４３間に目違いが生じない。
【００５８】
キックばね４５を支持部材４４に係合させることによって、短時間でエキスパンションジョイントカバーを装着することができる。キックばね４５を用いることにより取付ビスを不要にできるので、外部に取付ビスが露出しない。カバー部材４３を支持する部材が少ないのでカバー部材２８の厚みが薄くなり、構造物２ａ、２ｂからの突出寸法を小さくすることができる。室内に使用するとき、雨などが浸入しないので、エキスパンションジョイント１の内部をシールする補助シートが不要である。
【００５９】
【発明の効果】
以上の説明から明らかな通り、本発明によると、カバー部材を片持ち支持して一方の構造物に装着するため、エキスパンションジョイントカバーが二つの構造物の相対的な変位に追従することができる。このとき、カバー部材が傾かないから、その両端部の目違いを防止することができる。これにより、エキスパンションジョイントカバーの可動量を大きく設定して、構造物のより大きな相対的変位にも対応できる。
【図面の簡単な説明】
【図１】本発明の第一実施形態のエキスパンションジョイントカバーを示す斜視図で、（ａ）はカバー部材の装着前を示し、（ｂ）はカバー部材の装着後を示す
【図２】図１（ｂ）のＡ−Ａ断面図
【図３】ｚ方向に相対的に変位したときのエキスパンションジョイントカバーの斜視図
【図４】エキスパンションジョイントカバーを装着する手順を示す図
【図５】コーナに対応するエキスパンションジョイントカバーを装着する手順を示す図
【図６】第二実施形態の保持部材及び丁番の斜視図
【図７】第三実施形態のエキスパンションジョイントカバーを示す斜視図
【図８】図７のＢ−Ｂ断面図
【図９】エキスパンションジョイントカバーを装着する手順を示す図
【図１０】コーナに対応するエキスパンションジョイントカバーを装着する手順を示す図
【図１１】第四実施形態のエキスパンションジョイントカバーを示す斜視図
【図１２】エキスパンションジョイントカバーを装着する手順を示す図
【図１３】従来のエキスパンションジョイントカバーの斜視図
【図１４】建物がｙ方向に変位したときの受けプレートの前面図
【符号の説明】
１    エキスパンションジョイント
２ａ、２ｂ構造物
３、２８、４３カバー部材
４    保持部材
５    丁番
６    コイルばね
１２  回動軸
２７  ねじりコイルばね
２９、４４支持部材
３０  板ばね
４５  キックばね
【図１】
2004162304.tif 000003
【図２】
2004162304.tif 000004
【図３】
2004162304.tif 000005
【図４】
2004162304.tif 000006
【図５】
2004162304.tif 000007
【図６】
2004162304.tif 000008
【図７】
2004162304.tif 000009
【図８】
2004162304.tif 000010
【図９】
2004162304.tif 000011
【図１０】
2004162304.tif 000012
【図１１】
2004162304.tif 000013
【図１２】
2004162304.tif 000014
【図１３】
2004162304.tif 000015
【図１４】
2004162304.tif 000016